(57)【特許請求の範囲】
【請求項１】
化粧料を収容する化粧料容器であって、
前記化粧料が充填される中皿と、
前記中皿を収容する凹状の収容部を有する容器本体部と、
前記収容部に収容された前記中皿の側面と該収容部の壁面との間に形成される環状の間隙に、該間隙を周回するように挿置される環状の弾性部材と、を備え、
前記中皿の側面には、前記弾性部材が嵌る溝であって、前記弾性部材を側方から支持する第１の面と、前記弾性部材を上方から支持する第２の面と、前記弾性部材を下方から支持する第３の面とを有する溝が形成されており、
前記収容部の壁面には、前記溝に嵌った前記中皿の側面から突出する前記弾性部材を側方および下方から支持する支持部が形成されている、
化粧料容器。
【請求項２】
前記支持部は、前記弾性部材を側方から支持する第一の支持面と、該弾性部材を下方から支持する第二の支持面とを有する溝である、
請求項１に記載の化粧料容器。
【請求項３】
前記弾性部材は、断面が丸い環状の部材である、
請求項１または２に記載の化粧料容器。
【請求項４】
前記支持部は、前記収容部に収容された前記中皿の下面と該収容部の底面との間に間隙が形成されるように前記弾性部材を下方から支持する、
請求項１から３の何れか一項に記載の化粧料容器。
【請求項５】
前記収容部の壁面には、前記中皿を係合する係合部が設けられており、
前記中皿の側面には、前記係合部が係合する被係合部が設けられている、
請求項１から４の何れか一項に記載の化粧料容器。
【発明の詳細な説明】
【技術分野】
【０００１】
本発明は、化粧料容器に関する。
【背景技術】
【０００２】
ファンデーションやアイカラー、頬紅といった化粧料は、衝撃が加わると、ひび割れや剥離等を生ずる虞がある。これらの化粧料は、通常、中皿に充填され、固化された状態でコンパクト容器内に装着される。化粧料は審美性が重視されるため、ひび割れ等が生ずることは好ましくない。そこで、コンパクト容器に加わった衝撃が化粧料へ伝わるのを緩和するべく、コンパクト容器と中皿との間に各種の緩衝機構を設けた化粧料容器が提案されている（例えば、特許文献１〜３を参照）。
【先行技術文献】
【特許文献】
【０００３】
【特許文献１】特開２００９−２２５８６６号公報
【特許文献２】特開２００７−２９２３４号公報
【特許文献３】特開２００４−２８３３８７号公報
【発明の概要】
【発明が解決しようとする課題】
【０００４】
コンパクト容器内で中皿を係合する係合片に緩衝機能を持たせる場合、係合片が本来有する中皿の固定機能と相反する機能を持たせることになるため、十分な緩衝作用を得ることが難しい。また、このような係合片とは別に緩衝部材を設ける場合、中皿の底面や側面に設ける必要があり、部品点数が増大する。
【０００５】
本発明は、このような課題に鑑みてなされたものであり、化粧料に伝わる衝撃を簡単な構成で緩和できる化粧料容器を提供することを課題とする。
【課題を解決するための手段】
【０００６】
本発明は、上記課題を解決するため、中皿と収容部との間に形成される環状の間隙に環状の弾性部材を挿置する。中皿の側面には、弾性部材が嵌る溝を形成し、収容部の壁面には、溝に嵌った中皿の側面から突出する弾性部材を側方および下方から支持する支持部を形成する。
【０００７】
詳細には、化粧料を収容する化粧料容器であって、前記化粧料が充填される中皿と、前記中皿を収容する凹状の収容部を有する容器本体部と、前記収容部に収容された前記中皿の側面と該収容部の壁面との間に形成される環状の間隙に、該間隙を周回するように挿置される環状の弾性部材と、を備え、前記中皿の側面には、前記弾性部材が嵌る溝が形成されており、前記収容部の壁面には、前記溝に嵌った前記中皿の側面から突出する前記弾性部材を側方および下方から支持する支持部が形成される。
【０００８】
上記化粧料容器であれば、中皿の側面から突出する弾性部材が支持部によって側方および下方から支持されるので、容器本体部から中皿へ伝わる衝撃が弾性部材によって緩和される。この弾性部材は、環状であって中皿の側面を周回するように設けられているため、中皿の側面側へ伝わるあらゆる方向の衝撃を環状の弾性部材のみで緩和される。更に、この弾性部材は、容器本体部に設けられた支持部によって下方からも支持されるように構成されているため、中皿の下面側へ伝わる衝撃についても緩和される。すなわち、この化粧料容器によれば、環状の弾性部材のみで中皿の側面側および下面側へ伝わる衝撃を緩和で
きるため、部品点数を増大させることなく、化粧料に伝わる衝撃を簡単な構成で緩和できる。
【０００９】
なお、前記支持部は、前記弾性部材を側方から支持する第一の支持面と、該弾性部材を下方から支持する第二の支持面とを有する溝であってもよい。弾性部材を側方から支持する面と下方から支持する面とを分けることで、弾性部材が確実に支持される。
【００１０】
また、前記弾性部材は、断面が丸い環状の部材であってもよい。このように構成される弾性部材を用いれば、化粧料に伝わる衝撃を緩和でき且つ、弾性部材の表面が滑らかなので弾性部材の中皿への取り付けや中皿の収容部への収容が容易にできる。
【００１１】
また、前記支持部は、前記収容部に収容された前記中皿の下面と該収容部の底面との間に間隙が形成されるように前記弾性部材を下方から支持してもよい。中皿の下面と収容部の底面との間に間隙が形成されていれば、容器本体部から中皿の下面側へ伝わる衝撃が間隙によって遮断されるので、部品点数を増大させることなく、化粧料に伝わる衝撃をより確実に緩和できる。
【００１２】
また、前記収容部の壁面には、前記中皿を係合する係合部が設けられており、前記中皿の側面には、前記係合部が係合する被係合部が設けられているものであってもよい。中皿が係合部と被係合部とにより収容部内で容器本体部に係合されることで、容器本体部に衝撃が加わっても収容部から外れなくなる。
【発明の効果】
【００１３】
化粧料に伝わる衝撃を簡単な構成で緩和できる。
【図面の簡単な説明】
【００１４】
【図１】化粧料容器の外観斜視図である。
【図２】中皿が収容部に収容された状態のコンパクト容器の構造図である。
【図３】中皿の支持構造を拡大した図である。
【図４】係合爪の変形例を示す図である。
【発明を実施するための形態】
【００１５】
以下、本願発明の実施形態について説明する。以下に説明する実施形態は、本願発明の実施態様を例示的に示すものであり、本願発明はこのような実施形態に限定されるものではない。
【００１６】
本実施形態に係る化粧料容器（以下、コンパクト容器という）の外観斜視図を図１に示す。コンパクト容器１は、図１に示すように、凹状の収容部２を有する容器本体３と、容器本体３の上面を覆う蓋４、収容部２に収容される中皿５、中皿５に取り付けるゴム製のリング６を備える。中皿５は、樹脂で成形された成形品であり、内部に化粧料７が充填されている。また、蓋４には、ミラー８が取り付けられている。蓋４は、容器本体３にヒンジ１８を介して回動可能なように連結されており、蓋４の手前部分を上げ下げすることにより開閉操作が可能なようになっている。なお、容器本体３には、収容部２の他に、化粧料を顔に塗布する際に用いるパフを収容するためのパフスペース９も設けられている。
【００１７】
収容部２の壁面１４には、中皿５に取り付けられたリング６を側方および下方から支持する支持部１０や、収容部２内に収容された中皿５が容易に離脱しないようにするための係合爪１１が設けられている。また、中皿５の側面には、リング６が嵌るリング用溝１２と、リング用溝１２の下に係合爪１１が引っ掛かる係合溝１３とが設けられている。
【００１８】
図２は、中皿５が収容部２に収容された状態のコンパクト容器１の構造図である。リング用溝１２と係合溝１３は、何れも中皿５の側面を一周するように形成されている。このため、リング６は、中皿５が収容部２に収容された状態で、中皿５と収容部２との間に形成される環状の間隙に挿置されることになる。そして、中皿５は、図２からも判るように、リング用溝１２にリング６を嵌めた後、収容部２に入れて押し込むことにより、係合爪１１が係合溝１３に引っ掛かって固定される。
【００１９】
図３は、中皿５の支持構造を拡大した図である。図３から明らかなように、リング用溝１２にリング６を嵌めると、リング６が中皿５の側面から突出した状態になる。これは、リング用溝１２の深さが、リング６の太さよりも浅くなるように形成されているためである。そして、収容部２の壁面１４に設けられた支持部１０が、リング用溝１２に嵌ったリング６を側方および下方から支持することにより、中皿５の下面１９と収容部２の底面１５との間に間隙ができる。すなわち、壁面１４に設けられた支持部１０は、リング６を側方から支持するための支持壁面１６と、リング６を下方から支持するための支持底面１７とによって構成されており、収容部２に中皿５が収容されるとリング６が支持壁面１６と支持底面１７に当接することにより、中皿５が収容部２内で固定される。よって、コンパクト容器１に衝撃が加わった場合でも、容器本体３から中皿５へ衝撃はリング６を通過することになる。リング６は衝撃を緩衝する機能を奏する弾性の部材であるため、容器本体３から中皿５へ伝わる衝撃はリング６によって緩和される。リング６を構成する材料としては、ニトリルゴム（Nitrile Butadiene Rubber : NBR）、シリコーンゴム（silicone rubber）、フッ素ゴム（例えば、バイトン（登録商標）等）といった弾性体を例示できる
。
【００２０】
なお、リング６の色は、容器本体３や中皿５の色に応じて適宜決定する。リング６の色は、審美性を損ねないものが好ましい。汎用性を持たせるには、例えば無色透明あるいは白、黒といった基本色が好ましいが、ファンデーション等の化粧料が通常、肌色であることに鑑みれば、リング６の色も肌色としておけば、リング６に化粧料の粉が付着しても審美性が損なわれにくい。
【００２１】
また、リング用溝１２の深さは、リング６の太さや中皿５を収容部２に収容した際の収容具合、更には要求される緩衝能力等に応じて適宜調整する。例えば、中皿５に充填される化粧料が頑丈であったり、容器本体３自身が有する緩衝能力が高く、リング６に要求される緩衝能力が低かったりするような場合であれば、リング用溝１２の深さを深くする。リング用溝１２の深さが深ければ、収容部２に中皿５を収容する際、リング６がリング用溝１２から外れにくい。一方、リング６に要求される緩衝能力が高ければ、リング用溝１２の深さを浅くする。リング用溝１２の深さが浅ければ、中皿５の側面から突出するリング６の突出量が増えるので、リング６の変形可能な量が増えて緩衝能力が高まる。
【００２２】
また、リング用溝１２の位置は、中皿５の側面の何れの位置に設けられていてもよいが、本実施形態のように中皿５の側面のうち特に上側付近に設けておけば、中皿５を収容部２に収容する際にリング６が収容部２の壁面に接触する部分が小さくなるため、中皿５を収容部２に収容しやすくなる。なお、中皿５の下面１９と収容部２の底面１５との間の間隙の大きさは、リング用溝１２と支持部の支持底面１７との相対的な位置関係で定まるので、コンパクト容器１に要求される緩衝能力やリング６の変形量、中皿５や容器本体３の強度等に応じてこれらの位置関係を適宜決定する。中皿５の下面１９と収容部２の底面１５との間の間隙の大きさは、０．２ｍｍ〜０．５ｍｍ程度の大きさが確保されていれば概ね十分であると考えられる。
【００２３】
また、コンパクト容器は、容器本体と中皿とが別々に構成されているものであれば如何なるタイプのものであってもよく、例えば、中皿を横あるいは縦に複数個並べた状態で収
容可能なものであってもよいし、或いは複数段に重ねた状態で収容可能なものであってもよい。更に、中皿は、上記実施形態に係る中皿５のように略方形の形状でなくてもよく、例えば、円形、楕円形、三角形や五角形等の多角形、ひし形、台形等の形状であってもよい。但し、何れの形状であっても、環状のリングをリング用溝に嵌めた状態でリングがリング用溝に全周に渡って密着可能な形状であることを要する。従って、例えば、三角形であっても角が尖っているような形状はその先端部でリングがひっぱられて、適正な寸法が出にくいが、先端部である鋭角部分以外の直線部では、密着は可能である。
【００２４】
また、上記実施形態では、係合爪１１が係合溝１３に引っ掛かることで中皿５の離脱が防止されるようになっていたが、例えば、図４に示すように、係合爪がリング６の上側に飛び出すようにしておいてもよい。リング６が弾性部材であるため、係合爪をこのように形成しておけば、係合爪が可動しない簡単な構造であっても、中皿５を収容部２内に着脱可能なようにできる。
【００２５】
コンパクト容器の緩衝効果を確かめる試験を行ったので、その結果を表１に示す。
【表１】
0005613421.tif 000002
【００２６】
上記試験は、表１に示すように、中皿とパフを横に並べたタイプである上記実施形態に係るコンパクト容器１のような横置式の容器と、パフと２つの中皿を上下に重ねたタイプである縦置２段式の容器についてそれぞれ行なっている。落下方法は、横置式の容器については、蓋を上面とした場合の後面側を下に向けた状態で落とす垂直落としと、左側面側を下に向けた状態で落とす横落としの２つの態様とした。また、縦置式の容器については、蓋を上面とした場合の前面側を下に向けた状態で落とす垂直落としのみの態様とした。落下試験は、５０ｃｍの高さから御影石の床面に落としている。
【００２７】
リングを付けない場合は、化粧料の偏りや亀裂、浮き、外れといった症状が比較的簡単に生じるのに対し、リングを付けた場合は、これらの症状が比較的生じにくい。例えば、横置式の容器について垂直落としを行った場合、リングを付けない通常のものは１回目の落下で化粧料に偏りが生ずるが、リングを付けたものにはこれらの症状が生じていない。化粧品は、審美性が重要視されるため、このような化粧料の偏り、亀裂、浮き、外れといった症状はユーザの使用感を損ねるが、本願で開示するコンパクト容器のようにリングが
設けられていれば、ユーザの使用感が損なわれるのを抑制できる。
【符号の説明】
【００２８】
１・・コンパクト容器
２・・収容部
３・・容器本体
４・・蓋
５・・中皿
６・・リング
１０・・支持部
１１・・係合爪
１２・・リング用溝
１６・・支持壁面
１７・・支持底面
【図１】
0005613421.tif 000003
【図２】
0005613421.tif 000004
【図３】
0005613421.tif 000005
【図４】
0005613421.tif 000006